(57)【要約】【課題】いずれの処理において回収した硬貨であるかを特定可能な紙幣処理機の提供。【解決手段】投入開口部１９，５９を介して投入された紙幣Ｓが端縁部を底部１５に突き当てて載置される紙幣投入口１１と、投入開口部１９，５９を開閉可能なシャッタ６５と、を有し、底部１５には紙幣Ｓの進入を規制しつつ硬貨Ｃの通過を許容する底部開口部４１が設けられ、底部開口部４１を通過した硬貨Ｃがシャッタ６５の閉作動時にシャッタ６５により押圧されて機外露出位置に排出される。【選択図】図１
2015219827.tif 000002
【特許請求の範囲】
【請求項１】
投入開口部を介して投入された紙幣が端縁部を底部に突き当てて載置される紙幣投入口と、
前記投入開口部を開閉可能なシャッタと、
を有する紙幣処理機であって、
前記底部には紙幣の進入を規制しつつ硬貨の通過を許容する底部開口部が設けられ、
前記底部開口部を通過した硬貨が前記シャッタの閉作動時に該シャッタにより押圧されて機外露出位置に排出されることを特徴とする紙幣処理機。
【請求項２】
前記シャッタは、開状態にあるとき前記紙幣投入口の下方に位置し、開状態から前記紙幣投入口を回り込み前記紙幣投入口の上側に移動して前記投入開口部を閉塞する閉状態となり、
前記シャッタには、開状態にあるとき、前記底部開口部を通過した硬貨を通過させる通過開口部と、通過開口部の前記シャッタの閉作動方向における上流側に設けられて下方に延出する押圧部とが設けられ、
前記底部開口部および前記通過開口部を通過した硬貨が前記シャッタの閉作動時に前記押圧部に押圧されて機外露出位置に排出されることを特徴とする請求項１記載の紙幣処理機。
【発明の詳細な説明】
【技術分野】
【０００１】
本発明は、紙幣処理機に関する。
【背景技術】
【０００２】
紙幣処理機において、紙幣が投入される投入口から硬貨等の異物を落下させて回収するものがある（例えば、特許文献１〜３参照）。このような紙幣処理機では、投入口から異物を排除できることから、投入口において生じるジャムを抑制できる。
【先行技術文献】
【特許文献】
【０００３】
【特許文献１】実開昭６２−１２４９３９号公報
【特許文献２】特開２００６−６５４３５号公報
【特許文献３】特公平５−８５０７２号公報
【発明の概要】
【発明が解決しようとする課題】
【０００４】
ところで、上記の紙幣処理機では、投入口から排除した硬貨等の異物を容器に回収するようになっている。このように硬貨等の異物を容器に回収するものでは、回収された異物が硬貨であった場合に、いずれの処理において回収した硬貨であるかを特定できなくなってしまう可能性があった。
【０００５】
したがって、本発明は、いずれの処理において回収した硬貨であるかを特定可能な紙幣処理機の提供を目的とする。
【課題を解決するための手段】
【０００６】
上記目的を達成するために、請求項１に係る発明は、投入開口部を介して投入された紙幣が端縁部を底部に突き当てて載置される紙幣投入口と、前記投入開口部を開閉可能なシャッタと、を有する紙幣処理機であって、前記底部には紙幣の進入を規制しつつ硬貨の通過を許容する底部開口部が設けられ、前記底部開口部を通過した硬貨が前記シャッタの閉作動時に該シャッタにより押圧されて機外露出位置に排出されることを特徴とする。
【０００７】
請求項２に係る発明は、請求項１に係る発明において、前記シャッタは、開状態にあるとき前記紙幣投入口の下方に位置し、開状態から前記紙幣投入口を回り込み前記紙幣投入口の上側に移動して前記投入開口部を閉塞する閉状態となり、前記シャッタには、開状態にあるとき、前記底部開口部を通過した硬貨を通過させる通過開口部と、通過開口部の前記シャッタの閉作動方向における上流側に設けられて下方に延出する押圧部とが設けられ、前記底部開口部および前記通過開口部を通過した硬貨が前記シャッタの閉作動時に前記押圧部に押圧されて機外露出位置に排出されることを特徴とする。
【発明の効果】
【０００８】
請求項１に係る発明によれば、一の処理を行うためシャッタが開状態となっている投入開口部を介して紙幣投入口に紙幣が投入されると、この紙幣に硬貨が混入している場合には、紙幣投入口の底部に設けられた底部開口部を硬貨が通過することになる。そして、この一の処理においてシャッタを閉作動させると、この硬貨がシャッタで押圧されて機外露出位置に排出される。よって、一の処理においてシャッタの閉作動時に機外露出位置に排出される硬貨がある場合には、この硬貨をこの一の処理において混入した硬貨であると特定できる。したがって、いずれの処理において回収した硬貨であるかを特定可能となる。しかも、閉作動するシャッタで押圧して硬貨を機外露出位置に搬送するため、硬貨の排出のための構成を簡素化することができる。
【０００９】
請求項２に係る発明によれば、一の処理を行うためシャッタが開状態となっている投入開口部を介して紙幣投入口に紙幣が投入されると、この紙幣に硬貨が混入している場合には、紙幣投入口の底部に設けられた底部開口部および開状態のシャッタに設けられた通過開口部を硬貨が通過することになる。シャッタは、閉作動時には、開状態から紙幣投入口を回り込んで紙幣投入口の上側に移動して投入開口部を閉塞する閉状態となるが、その際に、通過開口部のシャッタの閉作動方向における上流側に設けられた押圧部が硬貨を押圧して機外露出位置に搬送する。このため、硬貨の排出のための構成をより簡素化することができる。
【図面の簡単な説明】
【００１０】
【図１】本発明の一実施形態に係る紙幣処理機の紙幣入金口周辺を示す側断面図であって、シャッタの開状態を示すものである。
【図２】本発明の一実施形態に係る紙幣処理機の要部の制御系ブロック図である。
【図３】本発明の一実施形態に係る紙幣処理機の紙幣入金口の底部を図１のＡ方向に見た図である。
【図４】本発明の一実施形態に係る紙幣処理機の紙幣入金口周辺を示す側断面図であって、シャッタの閉状態を示すものである。
【発明を実施するための形態】
【００１１】
本発明の一実施形態に係る紙幣処理機を図面を参照して以下に説明する。なお、図１（図４も同様）において矢印Ｘの方向が、操作を行う操作者側すなわち前方（機体正面側）を示す。また、以下において特に記載のない場合、「前」は操作者側、「後」は操作者に対し反対側であり、左右は、操作者側から見たときの左右である。
【００１２】
本実施形態に係る紙幣処理機は、具体的には紙幣入出金機であり、紙幣の入金、収納、回収および出金等、紙幣に関する各処理を行うものである。図１は、本実施形態に係る紙幣処理機の紙幣投入口１１を示している。紙幣投入口１１は、機体の上部の前部位置に設けられるものであり、上方かつ前方に斜めに開口して設けられている。
【００１３】
紙幣投入口１１は、その奥側にあって水平面に対し後側を上側にするように傾斜して配置される底部１５と、この底部１５の左右両端縁部から鉛直に沿って上方かつ前方に斜めに延出する一対（図１において一方のみ図示）の側壁部１６と、底部１５の後端縁部近傍から底部１５にほぼ垂直をなして上方かつ前方に斜めに延出する後壁部１７と、底部１５の前端縁部から底部１５にほぼ垂直をなして上方かつ前方に斜めに延出する前壁部１８とを有している。紙幣投入口１１は、底部１５とは反対側が一対の側壁部１６と後壁部１７と前壁部１８とで囲まれた機外に開口可能な投入開口部１９となっている。
【００１４】
紙幣投入口１１には、底部１５の後端縁部と後壁部１７との間すなわち紙幣投入口１１の後端部に、紙幣Ｓを機内に取り込むための取込口２０が形成されている。また、紙幣投入口１１内には、後壁部１７および前壁部１８と平行をなしてこれらの間を底部１５に沿って移動するビルプレス２２が設けられている。ビルプレス２２は、図２に示すビルプレス駆動モータ２３で駆動されて後壁部１７と前壁部１８との間を往復移動することになり、図１に示すように前壁部１８に近接する状態が待機状態となっている。
【００１５】
紙幣投入口１１は、主として入金処理時に、紙幣Ｓが操作者により機外から投入される部分である。紙幣Ｓは基本的には複数枚が集積状態で長手方向を左右方向にした後下がりの姿勢で投入開口部１９を介して紙幣投入口１１に投入される。後下がりの姿勢で紙幣投入口１１に投入された紙幣Ｓは、後側かつ下側に位置する端縁部を底部１５に突き当てて底部１５およびビルプレス２２に載置される。つまり、紙幣投入口１１は、機外から投入された紙幣Ｓを底部１５に突当状態で載置させる。紙幣投入口１１には、底部１５に突き当てられて底部１５およびビルプレス２２に載置された紙幣Ｓを検知する光学透過型の紙幣検知センサ２４が設けられている。
【００１６】
紙幣投入口１１には、取込口２０の近傍位置に、紙幣投入口１１に投入されビルプレス２２で後壁部１７側すなわち取込口２０側に寄せられた紙幣Ｓを取込口２０から機内に取り込む取込機構２６が設けられている。この取込機構２６は、左右方向に軸線を配置した状態で、後壁部１７から一部が下方に突出するように設けられた蹴出ローラ２７と、左右方向に軸線を配置した状態で取込口２０の上側に配置された取込ローラ２８と、左右方向に軸線を配置した状態で取込口２０の下側に取込ローラ２８と接触可能に配置された分離ローラ２９と、これら蹴出ローラ２７、取込ローラ２８および分離ローラ２９を回転駆動する図２に示す取込駆動モータ３０とを有している。
【００１７】
ビルプレス２２は、紙幣投入口１１に投入された紙幣Ｓを蹴出ローラ２７に押し付ける。蹴出ローラ２７は、下部が後方に移動するように回転するもので、紙幣投入口１１に投入された紙幣Ｓのうち最も上側の一枚に接触してこれを取込口２０の方向に蹴り出すものである。取込ローラ２８は、蹴出ローラ２７と同じ方向に回転するもので、蹴出ローラ２７で蹴り出された紙幣Ｓをその後側に設けられた入金側搬送路３５に向け送り出すものである。分離ローラ２９は、取込ローラ２８と同じ方向に回転しまたは停止することにより、二枚以上の紙幣Ｓが取込ローラ２８との間に取り込まれるのを防止し、その結果、紙幣Ｓを一枚ずつに分離する。このような取込機構２６により、紙幣投入口１１に投入された紙幣Ｓは、一枚ずつに分離されて後方の入金側搬送路３５へと送り込まれる。つまり、取込機構２６は、紙幣投入口１１内の紙幣Ｓを紙幣投入口１１の後端部に設けられた取込口２０から機内に取り込むものである。
【００１８】
底部１５には、図３に示すように、紙幣投入口１１に投入された状態の紙幣Ｓの左右方向の幅よりも狭い幅であって、最大径の硬貨Ｃ（５００円硬貨）の直径よりも広い幅の底部開口部４１が左右方向に並んで形成されている。その結果、底部１５は隣り合う底部開口部４１と底部開口部４１との間に配置される紙幣支持部４２が左右方向に複数並んで形成されている。底部開口部４１は、紙幣投入口１１の底部１５に設けられて紙幣Ｓの進入を規制しつつ硬貨Ｃの進入を許容する。紙幣支持部４２は、図示は略すが左右方向の中央の位置が両側よりも高くなるように山型形状をなしており、混入した硬貨Ｃが接触するとこれを底部開口部４１に案内する。
【００１９】
図１に示すように、紙幣投入口１１の前側には、前壁部１８の前端部から前壁部１８の前側にて下方に延出するガイド壁部５１と、ガイド壁部５１の後端部から鉛直上方に延出する立壁部５２と、立壁部５２の上端縁部から後ろ上がりに延出する傾斜壁部５３と、が設けられている。ガイド壁部５１は後側に中心を有する円弧状をなしており、立壁部５２は左右方向に広がり、傾斜壁部５３は、底部１５と同一平面をなすように平坦な形状をなしている。
【００２０】
ガイド壁部５１の前側にはガイド壁部５１を覆うカバー部材５５が設けられている。カバー部材５５は一対の側壁部１６の底部１５とは反対側の端縁部をも覆っている。カバー部材５５は、投入開口部１９の上端部よりも上側から一対の側壁部１６およびガイド壁部５１を覆う湾曲カバー部５６と、傾斜壁部５３および底部１５の前部の下側を覆う水平に配置される水平カバー部５７と、水平カバー部５７の後端縁部から上方に延出する立壁部５８とを有している。カバー部材５５には、投入開口部１９の位置に投入開口部５９が形成されている。また、カバー部材５５には、投入開口部５９とは反対側にも移動開口部６０が形成されている。立壁部５８の前方に立壁部５２が設けられており、このときの立壁部５８と立壁部５２との間には、最大径の硬貨Ｃ（５００円硬貨）の直径よりも広い隙間が形成されている。
【００２１】
投入開口部１９と投入開口部５９との間には、図１および図４に示すように、これらを開閉可能なシャッタ６５が設けられている。このシャッタ６５は、カバー部材５５と一対の側壁部１６およびガイド壁部５１との間の空間に配置され、これらに案内されて摺動する。シャッタ６５は、図１に示す開状態にあるとき紙幣投入口１１の鉛直下方から前方に位置し、この開状態から紙幣投入口１１を前方に回り込み紙幣投入口１１の上側に移動して図４に示すように投入開口部１９および投入開口部５９を閉塞する閉状態となる。
【００２２】
シャッタ６５は、合成樹脂製であり、投入開口部１９，５９を開閉する可撓性のあるシャッタ本体部６６と、図１に示すようにシャッタ本体部６６が投入開口部１９，５９を開く開状態にあるときにシャッタ本体部６６の後端縁部から下方に延出する押圧部６７とを有している。押圧部６７は左右方向に広がっており、シャッタ６５の開閉時にこの押圧部６７の移動を可能とするようにカバー部材５５に上記の移動開口部６０が形成されている。
【００２３】
シャッタ本体部６６の押圧部６７側には通過開口部６８が形成されている。よって、押圧部６７は、通過開口部６８のシャッタ６５の閉作動方向における上流側に設けられて下方に延出している。
【００２４】
シャッタ６５は、投入開口部１９，５９を開く開状態にあるときには、押圧部６７が立壁部５８の直後位置に位置しており、シャッタ本体部６６の後部が水平カバー部５７の上側で水平に配置されている。この水平カバー部５７の上側であって立壁部５８と立壁部５２との間に通過開口部６８が配置されている。
【００２５】
カバー部材５５の下側には、排出ガイド部材７２が設けられている。この排出ガイド部材７２は、図１に示す開状態にあるシャッタ６５の押圧部６７の直後位置でこの押圧部６７と平行をなす立板部７３と、立板部７３の下端縁部から前方に延出しカバー部材５５の水平カバー部５７の鉛直下方で水平カバー部５７と平行をなす水平ガイド板部７４と、水平ガイド板部７４の立板部７３とは反対側の端縁部から湾曲カバー部５６の後部と等間隔をあけるように湾曲して前上がりに延出する湾曲ガイド板部７５とを有している。
【００２６】
また、排出ガイド部材７２は、湾曲ガイド板部７５の水平ガイド板部７４とは反対側の端縁部から前下がりに延出する傾斜ガイド板部７６と、傾斜ガイド板部７６の湾曲ガイド板部７５とは反対側の端縁部から水平前方に延出する受板部７７と、受板部７７の傾斜ガイド板部７６とは反対側の端縁部から前上がりに延出する端板部７８とを有している。傾斜ガイド板部７６、受板部７７および端板部７８は、紙幣処理機において機外に露出する位置に配置されている。
【００２７】
ここで、傾斜ガイド板部７６と端板部７８との間隔つまり受板部７７の幅は、最大径の硬貨Ｃ（５００円硬貨）の直径よりも広くなっている。シャッタ６５は、図４に示すようにシャッタ本体部６６で投入開口部１９，５９を閉じる閉状態にあるとき、押圧部６７が傾斜ガイド板部７６と閉作動方向の位置を一致させる。
【００２８】
図１に示す開状態から、図２に示すシャッタ駆動モータ７１で駆動されて、シャッタ６５は、シャッタ本体部６６がカバー部材５５とガイド壁部５１との間を通り、カバー部材５５と一対の側壁部１６との間を通って、図４に示すように投入開口部１９，５９を閉塞する。
【００２９】
図１に示すように、分離ローラ２９の前側かつ底部１５の下方には、分離ローラ２９の前端部から鉛直下方に延出する下方延出部８１と下方延出部８１の下端縁部から前下がりに延出する傾斜延出部８２とを有するガイド部材８３が設けられている。傾斜延出部８２の下端部は、カバー部材５５の立壁部５８の真上位置に位置している。ガイド部材８３は、底部開口部４１を通過した硬貨Ｃを、立壁部５２と立壁部５８との間に案内する。このとき、シャッタ６５が開状態にあると、立壁部５２と立壁部５８との間には、シャッタ本体部６６の通過開口部６８が配置されているため、底部開口部４１を通過した硬貨Ｃは、通過開口部６８を通り、カバー部材５５の移動開口部６０を通って、排出ガイド部材７２の押圧部６７よりも閉作動方向下流側（前側）の水平ガイド板部７４上に載置される。
【００３０】
本実施形態に係る紙幣処理機は、シャッタ６５が図４に示す閉状態にあるか否かを検知する図２に示す閉検知センサ８５と、シャッタ６５が図１に示す開状態にあるか否かを検知する図２に示す開検知センサ８６と、これらおよび紙幣検知センサ２４の検知結果に基づいてビルプレス駆動モータ２３、取込駆動モータ３０およびシャッタ駆動モータ７１等の駆動を制御する制御部８７と、操作者の操作入力を受け付ける操作部８８と、操作者に向けて表示を行う表示部８９とが設けられている。
【００３１】
次に、本実施形態の紙幣処理機の作動について説明する。
【００３２】
操作部８８に例えば入金処理の選択操作が入力されると、制御部８７は、図４に示すようにシャッタ６５を閉じた待機状態から、図２に示すシャッタ駆動モータ７１を駆動してシャッタ６５を開作動させる。シャッタ６５が開検知センサ８６で検知されると、制御部８７は、シャッタ駆動モータ７１を停止させる。すると、シャッタ６５は、図１に示すように、投入開口部１９，５９を開いた状態になる。この状態で、操作者は紙幣Ｓを投入開口部１９，５９を介して紙幣投入口１１内へ投入する。このとき、投入された紙幣Ｓに硬貨Ｃが混入していると、混入している硬貨Ｃは自重により、底部開口部４１を通過し、ガイド部材８３で案内される等して立壁部５２とカバー部材５５の立壁部５８との間に落下する。このとき、シャッタ６５は開状態にあることから、硬貨Ｃは、立壁部５２と立壁部５８との間のシャッタ本体部６６の通過開口部６８を通り、カバー部材５５の移動開口部６０を通って、排出ガイド部材７２のシャッタ６５の押圧部６７よりも閉作動方向下流側の水平ガイド板部７４上に載置される。
【００３３】
上記のように紙幣Ｓが紙幣投入口１１内へ投入されると、紙幣検知センサ２４が紙幣Ｓを検知することになる。紙幣検知センサ２４が紙幣Ｓを検知すると、制御部８７は、入金処理の実行操作を待機する状態となり、入金処理の実行操作を促す表示を表示部８９に表示させる。この状態で操作部８８に入金処理の実行操作が入力されると、制御部８７は、シャッタ駆動モータ７１を駆動して、シャッタ６５に投入開口部１９，５９を閉じる閉作動を行わせる。すると、シャッタ６５の押圧部６７が、カバー部材５５の水平カバー部５７と排出ガイド部材７２の水平ガイド板部７４との間を通り、カバー部材５５の湾曲カバー部５６と排出ガイド部材７２の湾曲ガイド板部７５との間を通って、閉作動方向下流側（前側）に移動する。
【００３４】
このとき、図１に示すように、排出ガイド部材７２の水平ガイド板部７４上に硬貨Ｃが存在していると、シャッタ６５の押圧部６７がこの硬貨Ｃに当接しこれを押圧してシャッタ６５の閉作動方向下流側に移動させる。シャッタ６５は、図４に示すようにシャッタ本体部６６で投入開口部１９，５９を閉じる閉状態になると、押圧部６７が傾斜ガイド板部７６と閉作動方向の位置を一致させることから、シャッタ６５の閉作動時に押圧部６７は、硬貨Ｃを排出ガイド部材７２の湾曲ガイド板部７５を乗り越えさせて傾斜ガイド板部７６から受板部７７上に載置させる。つまり、紙幣投入口１１の底部開口部４１、シャッタ６５の通過開口部６８およびカバー部材５５の移動開口部６０を通過した硬貨Ｃが、シャッタ６５の閉作動時に押圧部６７に押圧されて目視可能な機外露出位置である受板部７７上に排出される。
【００３５】
シャッタ６５が閉状態になったことが閉検知センサ８５により検知されると、制御部８７は、シャッタ駆動モータ７１を停止させるとともに、ビルプレス駆動モータ２３を駆動して、ビルプレス２２を後壁部１７側に移動させて、紙幣Ｓを蹴出ローラ２７に押し付ける。次に、制御部８７は、取込駆動モータ３０を駆動して、蹴出ローラ２７により最も後側の紙幣Ｓから順に取込口２０の方向に蹴り出させ、取込ローラ２８と分離ローラ２９とで紙幣Ｓを一枚ずつに分離して、後方の入金側搬送路３５へと送り込み、入金側搬送路３５が図示略の入金処理機構に紙幣Ｓを搬送し所定の入金処理を行わせることになる。
【００３６】
以上により、入金処理を行うべく紙幣投入口１１に紙幣Ｓを投入すると、紙幣Ｓとともに混入する硬貨Ｃがある場合に、この硬貨Ｃは、この入金処理に伴って行われるシャッタ６５の閉作動によって機外露出位置に排出される。よって、この硬貨Ｃが現在紙幣投入口１１に投入されて入金処理が行われる紙幣Ｓとともに投入されたものであることが明らかになる。
【００３７】
以上に述べた本実施形態に係る紙幣処理機によれば、一の処理を行うためシャッタ６５が開状態となっている投入開口部１９，５９を介して紙幣投入口１１に紙幣Ｓが投入されると、この紙幣Ｓに硬貨Ｃが混入している場合には、紙幣投入口１１の底部１５に設けられた底部開口部４１を硬貨Ｃが通過することになる。そして、この一の処理においてシャッタ６５を閉作動させると、この硬貨Ｃがシャッタ６５で押圧されて機外露出位置に排出される。よって、一の処理においてシャッタ６５の閉作動時に機外露出位置に排出される硬貨Ｃがある場合には、この硬貨Ｃをこの一の処理において混入した硬貨Ｃであると特定できる。したがって、いずれの処理において回収した硬貨Ｃであるかを特定可能となる。しかも、閉作動するシャッタ６５で押圧して硬貨Ｃを機外露出位置に搬送するため、硬貨Ｃの排出のための構成を簡素化することができる。
【００３８】
また、一の処理を行うためシャッタ６５が開状態となっている投入開口部１９，５９を介して紙幣投入口１１に紙幣Ｓが投入されると、この紙幣Ｓに硬貨Ｃが混入している場合には、紙幣投入口１１の底部１５に設けられた底部開口部４１および開状態のシャッタ６５に設けられた通過開口部６８を硬貨Ｃが通過することになる。シャッタ６５は、閉作動時には、開状態から紙幣投入口１１を回り込んで紙幣投入口１１の上側に移動して投入開口部１９，５９を閉塞する閉状態となるが、その際に、通過開口部６８のシャッタ６５の閉作動方向における上流側に設けられた押圧部６７が硬貨Ｃを押圧して機外露出位置に搬送する。このため、硬貨Ｃの排出のための構成をより簡素化することができる。
【００３９】
以上の実施形態では、硬貨Ｃが紙幣Ｓに混入している場合を例にとり説明したが、硬貨Ｃ以外のクリップ等の異物が紙幣Ｓに混入している場合も、異物は同様に底部開口部４１から開状態にあるシャッタ６５の通過開口部６８を通過して排出ガイド部材７２上に落下することになる。よって、硬貨Ｃ以外の異物が紙幣Ｓに混入している場合も、硬貨Ｃの場合と同様に、異物がシャッタ６５の閉作動時に機外露出位置に排出されることになる。
【符号の説明】
【００４０】
１１  紙幣投入口
１５  底部
１９  投入開口部
４１  底部開口部
５２  立壁部
５９  投入開口部
６５  シャッタ
６７  押圧部
６８  通過開口部
Ｃ  硬貨
Ｓ  紙幣
【図１】
2015219827.tif 000003
【図２】
2015219827.tif 000004
【図３】
2015219827.tif 000005
【図４】
2015219827.tif 000006